(57)【要約】【課題】  家電機器ネットワークシステムの提供。【解決手段】  ホームネットワーキングシステムのために構築された家電機器Ｈ１〜Ｈｎに私設ＩＰアドレスまたはポート番号を付与し、外部ネットワーク網を通じてアクセス可能なように公認ＩＰアドレスが付与されたＩＰ共有手段１０と、前記ＩＰ共有手段１０を通じて付与された私設ＩＰアドレスに関する情報を記憶し、前記私設ＩＰアドレスまたはポート番号に基づいてホームネットワーキングシステムの内部ネットワーク網Ｌ１と家電機器Ｈ１〜Ｈｎがデータを送受信するように家電機器の製品コントローラＣ１〜Ｃｎと接続される複数個の通信処理部Ｔ１〜Ｔｎと、から構成されてホームネットワーキングシステムを効率よく運用するための家電機器ネットワークシステムをより簡単で低コストに構築できる。【選択図】      図１
0003112761.tif 000002
【実用新案登録請求の範囲】
【請求項１】
ホームネットワーキングシステム内部のネットワーク網と、
前記ホームネットワーキングシステム外部のネットワーク網を接続するネットワーク設備と、
外部ネットワーク網を通じて前記ホームネットワーキングシステムにアクセスできるように公認ＩＰアドレスが付与されたＩＰ共有手段と、
前記ＩＰ共有手段を通じて私設ＩＰアドレスまたはポート番号を受けて該当家電機器が前記内部ネットワーク網とデータを送受信できるように複数台の家電機器の製品コントローラに各々接続される複数個の第１の通信処理部と、
前記内部ネットワーク網と接続された複数台の家電機器を制御するに好適なＵＩ(User Interface)プログラムを実行させるＵＩデータが記憶されたＵＩデータ記憶部を、前記第１の通信処理部に付加してなる第２の通信処理部とを備え、
前記ＵＩデータ記憶部は、記憶されたＵＩデータを前記内部ネットワーク網と接続されて前記複数台の家電機器に制御命令を入力できる内部演算装置に伝送するように構成され、
前記内部演算装置に伝送されたＵＩデータに基づいてＵＩプログラムが実行されることによって前記内部演算装置を通じて制御命令が入力可能であることを特徴とする家電機器ネットワークシステム。
【請求項２】
ホームネットワーキングシステムの内部ネットワーク網に接続された複数台の家電機器に私設ＩＰアドレスまたはポート番号を付与するＩＰ共有手段に公認ＩＰアドレスが付与され、
前記ＩＰ共有手段に、前記内部ネットワーク網に接続された家電機器に制御命令を入力できる演算装置が接続され、
該接続がなされることによって前記内部ネットワーク網に接続された複数台の家電機器と前記ＩＰ共有手段が接続され、
前記接続された前記ＩＰ共有手段を通じて私設ＩＰアドレスまたはポート番号が付与された複数台の家電機器に前記演算装置を通じて制御命令が入力され、
前記入力された制御命令に応じて該当家電機器が制御されることを特徴とする請求項１に記載の家電機器ネットワークシステム。
【請求項３】
前記家電機器ネットワークシステムは、前記ＩＰ共有手段に前記演算装置が接続される前に、
前記ＩＰ共有手段が複数台の家電機器に私設ＩＰアドレスまたはポート番号を付与することを特徴とする請求項２記載の家電機器ネットワークシステム。
【請求項４】
ＩＰ共有手段に前記演算装置が接続される場合、前記演算装置が前記ＩＰ共有手段に付与された公認ＩＰアドレスを利用して前記ＩＰ共有手段にアクセスし、
前記アクセス過程で前記ＩＰ共有手段を通じてアクセスした演算装置から入力されたＩＤとパスワードが正当なＩＤおよびパスワードか確認し、
前記確認過程で入力されたＩＤおよびパスワードが正当ＩＤおよびパスワードの場合、前記演算装置と前記ＩＰ共有手段が接続されることを特徴とする請求項２記載の家電機器ネットワークシステム。
【請求項５】
前記複数台の家電機器と前記ＩＰ共有手段が接続される場合、前記ＩＰ共有手段が前記複数台の家電機器に付与された私設ＩＰアドレスまたはポート番号のうち接続しようとする家電機器の私設ＩＰアドレスまたはポート番号を設定し、
前記設定過程を通じて設定された私設ＩＰアドレスまたはポート番号をもつ家電機器と前記ＩＰ共有手段が接続され、
前記家電機器接続後、前記ＩＰ共有手段が全ての複数台の家電機器が接続されたか確認し、全ての家電機器が接続されなかった場合は前記アドレス設定時設定された私設ＩＰアドレスまたはポート番号を１増加して前記家電機器接続段階に復帰することを特徴とする請求項２記載の家電機器ネットワークシステム。
【請求項６】
前記家電機器ネットワークシステムは、前記ＩＰ共有手段に、演算装置が接続された後、複数台の家電機器に前記演算装置を通じて制御命令が入力される前の間に、
前記複数台の家電機器が前記内部ネットワーク網とデータを送受信するようにする通信処理部に記憶されて前記家電機器に制御命令を入力できるＵＩプログラムを実行させるＵＩデータが前記第２段階で接続された演算装置に伝送され、
前記伝送されたＵＩデータを通じて前記演算装置で前記ＵＩプログラムが実行されることを特徴とする請求項２記載の家電機器ネットワークシステム。
【考案の詳細な説明】
【技術分野】
【０００１】
本考案は、家電機器ネットワークシステムに関し、特に、複数台の家電機器からなるホームネットワーキングシステムにおいて、前記複数台の家電機器に私設ＩＰアドレスまたはポート番号を付与し、前記複数台の家電機器が前記私設ＩＰアドレスまたはポート番号に基づいてネットワーク網とデータを送受信できるようにすることによって、ホームネットワーキングシステムをより簡単に構築できるようにすると同時に、構築にかかる費用を低減できる家電機器ネットワークシステムに関する。
【背景技術】
【０００２】
最近、複数台の家電機器を家庭内でネットワーク網を通じて接続し、さらに前記ネットワーク網が外部インターネット網と接続されるようにして家庭内外のいずれの場所においても前記家電機器を使用者が制御できるようにする家電機器ネットワーキングシステムが脚光を浴びている。
【０００３】
特に、前述の家電機器ネットワーキングシステムは、使用者が家庭内のいずれの場所においても特定家電機器の状態情報を把握できるようにすることは勿論、外部からもコンピュータなどの手段を通じて家電機器を制御できるようにする点から、消費者の大きな賛同を得ており、家電機器ネットワーキングシステムの応用範囲は益々広がりつつある。
【０００４】
しかし、かかる家電機器ネットワーキングシステムは、家電機器をネットワーク網を通じて相互接続し、相互接続された家電機器を統合制御できるように家庭や建物内に専用線を敷かねばならないが、この場合、高コストとなる問題点があった。
【０００５】
しかも、家電機器がネットワーク網に接続され、前記ネットワーク網と制御情報および状態情報を送受信できるようにするためには、前記家電機器に高価なＬＡＮカードを装着しなければならなく、また、通信処理ができるようにＰＣクラスのＣＰＵを具えなければならない。
【０００６】
しかし、現実的に家電機器に各々ＬＡＮカードを装着し、ＰＣクラスのＣＰＵを具える場合、前記家電機器の製造コストが上昇し、その分市場競争力は劣ってしまう。また、新しい仕様のＰＣクラスのＣＰＵとＬＡＮカードを家電機器に装着するためには、既存の家電機器を設計および製造する生産ラインでない、新しい生産ラインを構築する必要があり、これは家電機器の価格上昇につながる問題点がある。
【０００７】
しかも、家電機器にＬＡＮカードとＰＣクラスのＣＰＵを一括して装着する場合、ネットワーク網を通じて制御される必要のない家電機器の価格上昇を招き、資源浪費をきたすことになる。
【考案の開示】
【考案が解決しようとする課題】
【０００８】
本考案は、前記従来技術の問題点を解決するために案出されたものであって、その目的は、複数台の家電機器からなるホームネットワーキングシステムにおいて、前記複数台の家電機器に私設ＩＰアドレスまたはポート番号を付与するＩＰ共有手段と、前記ＩＰ共有手段から付与された私設ＩＰアドレスまたはポート番号に基づいて該当家電機器がネットワーク網とデータを送受信できるようにする通信処理部とから構成されることによって、より簡単で効率よいホームネットワーキングシステムの運用を可能にした家電機器ネットワークシステムを提供することにある。
【課題を解決するための手段】
【０００９】
前記目的を達成するために、本発明の家電機器ネットワークシステムの特徴によれば、ホームネットワーキングシステム内部のネットワーク網と、前記ホームネットワーキングシステム外部のネットワーク網を接続するネットワーク設備と、外部ネットワーク網を通じて前記ホームネットワーキングシステムにアクセスできるように公認ＩＰアドレスが付与されたＩＰ共有手段と、前記ＩＰ共有手段を通じて私設ＩＰアドレスまたはポート番号を受けて該当家電機器が前記内部ネットワーク網とデータを送受信できるように複数台の家電機器の製品コントローラに各々接続される複数個の第１の通信処理部と、前記内部ネットワーク網と接続された複数台の家電機器を制御するに好適なＵＩ(User Interface)プログラムを実行させるＵＩデータが記憶されたＵＩデータ記憶部を、前記第１の通信処理部に付加してなる第２の通信処理部とを備え、前記ＵＩデータ記憶部は、記憶されたＵＩデータを前記内部ネットワーク網と接続されて前記複数台の家電機器に制御命令を入力できる内部演算装置に伝送するように構成され、前記内部演算装置に伝送されたＵＩデータに基づいてＵＩプログラムが実行されることによって前記内部演算装置を通じて制御命令が入力可能である。
【００１０】
また、本発明による家電機器ネットワークシステムによれば、ホームネットワーキングシステムの内部ネットワーク網に接続された複数台の家電機器に私設ＩＰアドレスまたはポート番号を付与するＩＰ共有手段に公認ＩＰアドレスが付与され、前記ＩＰ共有手段に、前記内部ネットワーク網に接続された家電機器に制御命令を入力できる演算装置が接続され、該接続がなされることによって前記内部ネットワーク網に接続された複数台の家電機器と前記ＩＰ共有手段が接続され、前記複数台の家電機器に接続された前記ＩＰ共有手段を通じて私設ＩＰアドレスまたはポート番号が付与された複数台の家電機器に前記演算装置を通じて制御命令が入力され、前記入力された制御命令に応じて該当家電機器が制御される。
【考案の効果】
【００１１】
以上のように構成される本考案の家電機器ネットワークシステムは、ホームネットワーキングシステムのために構築された家電機器に私設ＩＰアドレスまたはポート番号を付与し、外部ネットワーク網を通じてアクセス可能なように公認ＩＰアドレスが付与されたＩＰ共有手段と、前記ＩＰ共有手段を通じて付与された私設ＩＰアドレスまたはポート番号に関する情報を記憶し、前記私設ＩＰアドレスまたはポート番号に基づいてホームネットワーキングシステムの内部ネットワーク網と家電機器がデータを送受信するように家電機器の製品コントローラと接続される複数個の通信処理部とから構成されてホームネットワーキングシステムをより簡単で効率的に運用するための家電機器ネットワークシステムをより簡単かつ低コストで構築できるようにする。
【考案を実施するための最良の形態】
【００１２】
以下、本考案の好ましい実施例を添付図面を参照しつつ詳細に説明する。
【００１３】
本考案による家電機器ネットワークシステムは、図１に示すように、ホームネットワーキングのために家庭内や建物内に構築された内部ネットワーク網である既存のＬＡＮ網Ｌ１と、前記内部ネットワーク網とホームネットワーキングシステム外部のネットワーク網を接続するネットワーク設備と、前記ネットワーク設備を通じて外部ネットワーク網から内部ネットワーク網にアクセスできるように公認ＩＰアドレスが付与されたＩＰ共有手段１０と、前記ＩＰ共有手段１０を通じて私設ＩＰアドレスが付与されると、その私設ＩＰアドレスを利用して該当家電機器が前記内部ネットワーク網とデータを送受信するように複数台の家電機器Ｈ１〜Ｈｎの製品コントローラＣ１〜Ｃｎと接続される複数個の通信処理部Ｔ１〜Ｔｎと、を含めてなる。
【００１４】
特に、前記ＩＰ共有手段１０は、前記複数台の家電機器Ｈ１〜Ｈｎに各々固有の私設ＩＰアドレスまたはポート番号を設定して付与するが、場合によって前記ＩＰ共有手段１０は前記複数台の家電機器Ｈ１〜Ｈｎに各々の相異なる私設ＩＰアドレスを付与せずに、同一の私設ＩＰアドレスに相異なるポート番号を付与することもある。また、前記ＩＰ共有手段１０は前記のように各複数台の家電機器Ｈ１〜Ｈｎに付与された私設ＩＰアドレスまたはポート番号に関する情報を該当家電機器とマッピングしておいたマップ形態の情報を記憶しており、前記マップに記憶された情報に基づいて外部ネットワーク網を通じて家電機器に伝送された制御命令を該当家電機器のＩＰアドレスまたはポート番号に伝送する。
【００１５】
ここで、前記ＩＰ共有手段１０を通じて各家電機器に付与された私設ＩＰアドレスまたはポート番号は、前記家電機器の製品コントローラと接続された複数個の通信処理部Ｔ１〜Ｔｎに記憶される。前記複数個の通信処理部Ｔ１〜Ｔｎは前記ＩＰ共有手段１０を通じて付与された私設ＩＰアドレスまたはポート番号に関する情報が記憶されると、前記私設ＩＰアドレスまたはポート番号をもつ該当家電機器に伝送されたデータのみを製品コントローラＣ１〜Ｃｎに伝送する。したがって、複数台の家電機器Ｈ１〜Ｈｎは該当データのみによって制御可能である。
【００１６】
また、前記ネットワーク設備は、前記ホームネットワーキングシステムの内部ネットワーク網の入口として機能するゲートウェイＧと、前記ゲートウェイＧを通じて伝送されたデータを前記ＩＰ共有手段１０に伝送すると同時に前記ＩＰ共有手段１０から外部ネットワーク網に伝送しようとするデータを前記ゲートウェイＧに伝送するハブＨとからなる。
【００１７】
このとき、前記ＩＰ共有手段１０と前記複数台の家電機器Ｈ１〜Ｈｎは図１のように既存のＬＡＮ網に接続されるので、前記ＩＰ共有手段１０を通じて内部に伝送されるデータのラインと外部に伝送されるデータのラインは物理的に接続されている。したがって、図１に示すように、前記ＩＰ共有手段１０を通じて送受信されるデータは前記ＩＰ共有手段１０を通過するようになっている。
【００１８】
仮に、既存のＬＡＮ網でなく、図２のように新たに構築される専用線Ｌ２からなる内部ネットワーク網を通じて前記ＩＰ共有手段１０がデータを送受信する場合、前記ＩＰ共有手段１０を通じて内部または外部ネットワーク網に送受信されるデータは図示のようにラインが分離されている。
【００１９】
図２に示した本考案による家電機器ネットワークシステムでは、図１に示した家電機器ネットワークシステムにおけると同様に、前記ＩＰ共有手段１０に公認ＩＰアドレスが付与されており、前記ＩＰ共有手段１０は複数台の家電機器Ｈ１〜Ｈｎに私設ＩＰアドレスまたはポート番号を設定して付与する。
【００２０】
したがって、外部ネットワーク網からは前記ＩＰ共有手段１０の公認ＩＰアドレスを利用して前記ＩＰ共有手段１０にアクセスできる。また、前記ＩＰ共有手段１０が複数台の家電機器Ｈ１〜Ｈｎに私設ＩＰアドレスまたはポート番号を付与し、前記複数台の家電機器に付与された私設ＩＰアドレスまたはポート番号に伝送されるデータの流れを制御するので、前記ＩＰ共有手段１０を通じてホームネットワーキングシステムを制御することができる。
【００２１】
図３は、本考案による家電機器ネットワークシステムにおいて、前記複数台の家電機器のうちｎ番目の家電機器Ｈｎの製品コントローラＣｎに接続される第１タイプ通信処理部Ｔｎの内部構成を示している。
【００２２】
図３に示すように、本考案による第１タイプ通信処理部Ｔｎは、該当家電機器Ｈｎが前記内部ネットワーク網とデータを送受信できるように前記内部ネットワーク網規格と前記製品コントローラＣｎの規格に適するように前記送受信データを変換するネットワーク/シリアル通信変換部２０と、前記ＩＰ共有手段１０を通じて付与された私設ＩＰアドレスまたはポート番号に関する情報が記憶されるメモリ部２１とを含めて構成され、このとき、前記メモリ部２１はＲＯＭ(リード・オンリー・メモリ)で構成可能である。
【００２３】
さらに、本考案による第１タイプ通信処理部Ｔｎは、前記製品コントローラＣｎを通じて伝送されて前記ネットワーク/シリアル通信変換部２０で前記内部ネットワーク網規格に適するように変換されたデータを前記内部ネットワーク網に伝送すると同時に、前記内部ネットワーク網を通じて家電機器に伝送されるデータを前記ネットワーク/シリアル通信変換部２０に伝送するネットワーク接続装置部２２をさらに含めて構成可能である。
【００２４】
ここで、前記ネットワーク/シリアル通信変換部２０は、前記製品コントローラＣｎとＵＡＲＴ規格に好適なシリアル通信を通じてデータを送受信する。また、前記ネットワーク/シリアル通信変換部２０は前記内部ネットワーク網とデータを送受信するために前記ネットワーク接続装置部２２とネットワーク通信を通じてデータを送受信する。
【００２５】
このとき、前記ネットワーク/シリアル通信変換部２０でネットワーク通信規格に適するように変換されたデータは、前記ネットワーク接続装置部２２を介さずに直接内部ネットワーク網と接続可能であり、内部ネットワーク網を通じて伝送されるデータも前記ネットワーク接続装置部２２を介さずに直接ネットワーク/シリアル通信変換部２０に伝送され得る。すなわち、前記ネットワーク接続装置部２２の機能が前記ネットワーク/シリアル通信変換部２０に含まれるようにしてもよい。
【００２６】
また、特定家電機器Ｈ１の製品コントローラＣ１と接続される第２タイプ通信処理部Ｔ１は、図４に示すように、図３に示した前記ネットワーク/シリアル通信変換部２０と、メモリ部２１と、ネットワーク接続装置部２２の以外に、前記内部ネットワーク網と接続された複数台の家電機器Ｈ１〜Ｈｎを制御するに好適なＵＩ(ユーザインターフェイス)プログラムを実行させるＵＩデータが記憶されたＵＩデータ記憶部２３をさらに含めて構成され得る。
【００２７】
前記ＵＩデータ記憶部２３に記憶されたＵＩデータは、外部ネットワーク網を通じて前記ＩＰ共有手段にアクセスしてホームネットワーキングシステムをなす複数台の家電機器に制御命令を伝送しようとする外部演算装置(図示せず)または内部ネットワーク網を通じて前記複数台の家電機器に制御命令を伝送しようとする内部演算装置(図示せず)に伝送される。
【００２８】
前記外部または内部演算装置では、前記ＵＩデータが伝送されることによってＵＩプログラムが実行され、これにより実行されたＵＩプログラムに基づいて使用者は前記外部または内部演算装置を利用して複数台の家電機器に望む制御命令を入力することができる。前記入力された制御命令は、前記ＩＰ共有手段１０を通じて該当私設ＩＰアドレスまたはポート番号をもつ家電機器に伝送される。
【００２９】
最後に、前記第２タイプ通信処理部Ｔ１は、前記内部ネットワーク網を通じて複数台の家電機器がデータを送受信することを管理する内部ネットワーク網制御部(図示せず)をさらに含めて構成可能である。すなわち、前記第２タイプ通信処理部Ｔ１は、ホームネットワーキングシステムのデータ送受信を管理するネットワーク管理手段の機能を行うこともできる。
したがって、一つのホームネットワーキングシステムをなす家電機器ネットワークシステムは、一つのＩＰ共有手段１０と一つの家電機器Ｈ１の製品コントローラＣ１と接続される第２タイプ通信処理部Ｔ１と、その他の家電機器Ｈ２〜Ｈｎの製品コントローラＣ２〜Ｃｎと接続される第１タイプ通信処理部Ｔ２〜Ｔｎとから構成可能である。したがって、一つの家電機器ネットワークシステム当り一つの通信処理部にのみＵＩデータ記憶部を内蔵させ、前記ＵＩデータ記憶部が内蔵された通信処理部のみ内部ネットワーク網制御部の機能を行うネットワーク管理手段として動作するようにすると、複数個の通信処理部にＵＩデータ記憶部を内蔵させるか、内部ネットワーク網制御部の機能を行わせなくて済むので、家電機器ネットワークシステムが効率的に動作可能である。
【００３０】
図５は、本考案による家電機器ネットワークシステムの制御を説明するための流れ図である。
【００３１】
図５に示すように、まず、第１段階(Ｓ１)で、公認ＩＰアドレスの付与されたＩＰ共有手段に演算装置が接続を試みる。ここで、前記演算装置は前記ＩＰ共有手段に接続を試みながら前記ＩＰ共有手段に使用者が入力したＩＤとパスワードを伝送する。
【００３２】
前記第１段階で接続を試みた前記演算装置が入力したＩＤとパスワードがＩＰ共有手段に記憶された正当なＩＤおよびパスワードと同一か第２ 段階(Ｓ２)で判断される。
【００３３】
仮に、第２段階で前記入力されたＩＤおよびパスワードが正当なＩＤおよびパスワードと一致すると、第３段階(Ｓ３)で前記ＩＰ共有手段は複数台の家電機器のうち接続する家電機器の私設ＩＰアドレスまたはポート番号を設定する。ここで、前記ＩＰ共有手段は前記複数台の家電機器に私設ＩＰアドレスまたはポート番号を付与した状態にある。
【００３４】
第４段階(Ｓ４)で、前記ＩＰ共有手段は、前記複数台の家電機器のうち前記第３段階で設定された私設ＩＰアドレスまたはポート番号をもつ家電機器に接続命令を伝送する。
【００３５】
第５段階(Ｓ５)で、前記ＩＰ共有手段は、前記第４段階で接続命令が伝送された家電機器との接続が完了したか確認する。
【００３６】
前記第５段階で接続が完了したと確認されると、第６段階(Ｓ６)で前記ＩＰ共有手段は前記内部ネットワーク網と接続された全ての家電機器との接続が完了したか確認する。このとき、前記ＩＰ共有手段は前記内部ネットワーク網と接続された全ての家電機器の私設ＩＰアドレスまたはポート番号に関する情報を記憶しているため、これを基に全ての家電機器が接続された否か確認できる。一方、前記第５段階で接続完了が確認されなかった場合は再び接続が完了したか確認する。
【００３７】
仮に、前記第６段階で全ての家電機器が接続されなかったと判断されると、第７段階(Ｓ７)で前記ＩＰ共有手段は前記第３段階で設定された私設ＩＰアドレスまたはポート番号を１ずつ増加させた後、前記第４段階に復帰する。
【００３８】
一方、前記第６段階で全ての家電機器が接続されたと判断された場合には、第８段階(Ｓ８)で前記第２タイプ通信処理部は前記第１段階で接続を試みた演算装置にＵＩデータを伝送する。
【００３９】
すると、第９段階(Ｓ９)では、前記ＵＩデータを受信した演算装置でＵＩプログラムが実行される。
【００４０】
第１０段階(Ｓ１０)で、前記演算装置を通じてＵＩプログラムが実行されることによって使用者が制御命令を入力する。
【００４１】
第１1 段階(Ｓ１１)で、前記演算装置は前記ＵＩプログラムに基づいて入力された制御命令を前記ＩＰ共有手段に伝送し、前記ＩＰ共有手段は前記制御命令を該当家電機器の私設ＩＰアドレスまたはポート番号に伝送する。
【００４２】
第１２段階(Ｓ１２)で、家電機器の通信処理部は前記第１1 段階で伝送された制御命令が該当家電機器に付与された私設ＩＰアドレスまたはポート番号と一致する私設ＩＰアドレスまたはポート番号に伝送された制御命令か確認する。
【００４３】
第１３段階(Ｓ１３)で制御命令の私設ＩＰアドレスまたはポート番号が該当家電機器の私設ＩＰアドレスまたはポート番号と一致する通信処理部が前記制御命令を家電機器に伝送し、これにより家電機器が制御される。
【００４４】
仮に、前記第１２段階で制御命令の私設ＩＰアドレスまたはポート番号が該当家電機器の私設ＩＰアドレスまたはポート番号と一致しない場合、該当家電機器の通信処理部はこれを無視する。
【図面の簡単な説明】
【００４５】
【図１】本考案による家電機器ネットワークシステムの第１実施例の構成を示す図。
【図２】本考案による家電機器ネットワークシステムの第２実施例の構成を示す図。
【図３】本考案による家電機器ネットワークシステムのうち第１タイプ通信処理部の構成を示す図。
【図４】本考案による家電機器ネットワークシステムのうち第２タイプ通信処理部の構成を示す図。
【図５】本考案による家電機器ネットワークシステムの制御を示す流れ図。
【符号の説明】
【００４６】
Ｈ１〜Ｈｎ    家電機器
Ｃ１〜Ｃｎ    製品コントローラ
Ｔ１    第２タイプ通信処理部
Ｔ２〜Ｔｎ    第１タイプ通信処理部
１０    ＩＰ共有手段
２０    ネットワーク/シリアル通信変換部
２１    メモリ部
２２    ネットワーク接続装置部
【図１】
0003112761.tif 000003
【図２】
0003112761.tif 000004
【図３】
0003112761.tif 000005
【図４】
0003112761.tif 000006
【図５】
0003112761.tif 000007